(57)【要約】    【課題】  読取手段をコンタクトガラスから非接触で移動し得るようにし、従来の読取手段の蜜着移動に伴う弊害を根本的に解消した原稿読取装置を提供することを目的とする。    【解決手段】  原稿を載置するコンタクトガラス２１を有する原稿載置台２と、筐体１内に収納され前記コンタクトガラス２１上に位置決めされた前記原稿を読取る密着型イメージセンサー３５からなる読取手段３とを備えた原稿読取装置において、前記読取手段３を前記コンタクトガラス２１から離間し、非接触状態でホームポジションＡから読取最終位置Ｂに読取走査するとともに、読取最終位置ＢからホームポジションＡにそれぞれ移動し得るように形成する。【選択図】図１
2005086482.tif 000002
【特許請求の範囲】
【請求項１】
原稿を載置するコンタクトガラスを有する原稿載置台と、筐体内に収納され前記コンタクトガラス上に位置決めされた前記原稿を読取る密着型イメージセンサーからなる読取手段と、前記筐体内に配設され、前記読取手段の移動を案内するガイドシャフトとを備えた原稿読取装置において、
前記読取手段を、前記ガイドシャフトに装着されるベースに取付けられたシャーシーと、このシャーシー内に配置され、その上部が位置決めストッパーを介してシャーシーの基準面に接し、その下部に設けられた圧縮バネにより上方に押し圧された密着型イメージセンサーとから形成し、前記ガイドシャフトを原稿の読取面から一定寸法に保持し、かつ前記ガイドシャフトからシャーシーの基準面の寸法を、前記原稿に対して密着型イメージセンサーの焦点距離が最適となるように設定し、前記読取手段を前記コンタクトガラスから離間し、非接触状態でホームポジションから読取最終位置に読取走査するとともに、読取最終位置からホームポジションにそれぞれ移動し得るように形成したことを特徴とする原稿読取装置。
【請求項２】
原稿を載置するコンタクトガラスを有する原稿載置台と、筐体内に収納され前記コンタクトガラス上に位置決めされた前記原稿を読取る密着型イメージセンサーからなる読取手段とを備えた原稿読取装置において、
前記読取手段を前記コンタクトガラスから離間し、非接触状態でホームポジションから読取最終位置に読取走査するとともに、読取最終位置からホームポジションにそれぞれ移動し得るように形成したことを特徴とする原稿読取装置。
【請求項３】
前記読取手段のベースの貫通孔内面と、シャフトとの接触が、断面視で３点接触であることを特徴とする請求項１に記載の原稿読取装置。
【請求項４】
前記読取手段のベースを、前記シャフトを跨ぐような分割構造に形成したことを特徴とする請求項１または請求項３記載の原稿読取装置。
【発明の詳細な説明】
【技術分野】
【０００１】
本発明は、コンタクトガラス上に載置した原稿を読み取ってデジタルデータに変換してコンピュータに出力するスキャナなどの原稿読取装置に関し、特に密着型イメージセンサー（以下単にＣＩＳと称す。）を有する読取手段が、走査時にコンタクトガラスに接して発する異音を、効果的に防止するようにしたものである。
【背景技術】
【０００２】
周知の通り、例えばスキャナなどの原稿読取装置にあっては、ＣＩＳの焦点深度が浅いため、コンタクトガラスの裏面にＣＩＳの突き当て部を密着した状態で読み取り走査を行い、これにより焦点距離の問題を解消している。しかし、コンタクトガラスの裏面にＣＩＳを有する読取手段の突き当て部が摺擦するため、負荷が大きくなり、異音を発するなどといった弊害が発生することとなる。また、前記突き当て部が摺擦するコンタクトガラス面にワックスを塗布することも行われているが、使用中に消耗し、これをユーザーが補充することは困難であるため、長期間の使用には耐えられない他、製造過程においてワックスの塗布作業が必要である。
【０００３】
上述の点を考慮して従来では、コンタクトガラスに当接しながら走査して、該コンタクトガラスを介して反対側に載置された原稿の画像を読み取る読取手段を備えた原稿読取装置において、前記読取手段を回動自在に設けると共に、前記読取手段を読取走査方向に移動させる際には該読取手段をコンタクトガラスに対して当接させながら移動させると共に、前記読取手段を読取走査方向と反対方向に移動させる際には該読取手段をコンタクトガラスに対して離間させながら移動するようにしたものがある(例えば、特許文献1参照）。
【特許文献１】特開２０００−１１５４７４号公報
【発明の開示】
【発明が解決しようとする課題】
【０００４】
、
しかし、前述の特許文献１記載の構成では、やはり原稿の画像を読み取り時には、コンタクトガラスに蜜着しながら読取手段を移動させているので、上述した問題は半減されるが、根本的には解消し得ない、などといった課題がある。
【０００５】
本発明は、上述した問題を解決するためになされたものであり、読取手段をコンタクトガラスから非接触で移動し得るようにし、従来の読取手段の蜜着移動に伴う弊害を根本的に解消した原稿読取装置を提供することを目的とする。
【課題を解決するための手段】
【０００６】
かかる目的を達成するため、請求項１記載の発明では、原稿を載置するコンタクトガラスを有する原稿載置台と、筐体内に収納され前記コンタクトガラス上に位置決めされた前記原稿を読取るＣＩＳからなる読取手段と、前記筐体内に配設され、前記読取手段の移動を案内するガイドシャフトとを備えた原稿読取装置において、前記読取手段を、前記ガイドシャフトに装着されるベースに取付けられたシャーシーと、このシャーシー内に配置され、その上部が位置決めストッパーを介してシャーシーの基準面に接し、その下部に設けられた圧縮バネにより上方に押し圧されたＣＩＳとから形成し、前記ガイドシャフトを原稿の読取面から一定寸法に保持し、かつ前記ガイドシャフトからシャーシーの基準面の寸法を、前記原稿に対してＣＩＳの焦点距離が最適となるように設定し、前記読取手段を前記コンタクトガラスから離間し、非接触状態でホームポジションから読取最終位置に読取走査するとともに、読取最終位置からホームポジションにそれぞれ移動し得るように形成する。
【０００７】
請求項２記載の発明では、原稿を載置するコンタクトガラスを有する原稿載置台と、筐体内に収納され前記コンタクトガラス上に位置決めされた前記原稿を読取るＣＩＳからなる読取手段とを備えた原稿読取装置において、前記読取手段を前記コンタクトガラスから離間し、非接触状態でホームポジションから読取最終位置に読取走査するとともに、読取最終位置からホームポジションにそれぞれ移動し得るように形成する。
【０００８】
請求項３記載の発明では、前記読取手段のベースの貫通孔内面と、ガイドシャフトとの接触を、断面視で３点接触にする。
【０００９】
請求項４記載の発明では、前記読取手段のベースを、前記ガイドシャフトを跨ぐような分割構造に形成する。
【発明の効果】
【００１０】
請求項１記載の発明の構成によれば、ＣＩＳの読取走査の対物距離は、原稿の読取面から一定寸法に保持されたガイドシャフトに装着された読取手段のシャーシーの基準面に、ＣＩＳが下方から圧縮バネの押圧力で上方に押し圧されることにより、位置決めストッパーを介して規制され、距離変動はほとんど無視することができるとともに、読取手段のホームポジションから読取最終位置までの読取走査および読取最終位置からホームポジションまでの復帰走査に伴う全ての移動、すなわち往復移動が、コンタクトガラスに非接触状態で行われるので、従来のような蜜着移動に伴う異音の発生などの弊害は、皆無となる。しかも、非接触であるので、コンタクトガラス面にワックスを塗布する必要がなくなり、製造過程における作業性が改善される他、長期間に亘って安定して使用することができる、などといった効果を奏する。
【００１１】
請求項２記載の発明の構成によれば、読取手段のホームポジションから読取最終位置までの読取走査および読取最終位置からホームポジションまでの復帰走査に伴う全ての移動が、コンタクトガラスに非接触状態で行われるので、従来のような蜜着移動に伴う異音は発生などの弊害は、皆無となる。しかも、コンタクトガラス面にワックスを塗布する必要がなくなり、製造過程における作業性が改善される他、長期間に亘って安定して使用することができる、などといった効果を奏する。
【００１２】
請求項３記載の発明の構成によれば、ベースとガイドシャフトとの接触が３点で行われるので、極めて安定し、ＣＩＳの読取走査の対物距離の変動を極めて少なくすることができるので、都合がよい。
【００１３】
請求項４記載の発明の構成によれば、読取手段のベースが、分割構造であるためガイドシャフトへの装着や寸法調整を簡単に行うことができるので、好ましい。
【発明を実施するための最良の形態】
【００１４】
原稿を載置するコンタクトガラスを有する原稿載置台と、筐体内に収納され前記コンタクトガラス上に位置決めされた前記原稿を読取るＣＩＳからなる読取手段と、前記筐体内に配設され、前記読取手段の移動を案内するガイドシャフトとを備えた原稿読取装置において、前記読取手段を、前記ガイドシャフトに装着されるベースに取付けられたシャーシーと、このシャーシー内に配置され、その上部が位置決めストッパーを介してシャーシーの基準面に接し、その下部に設けられた圧縮バネにより上方に押し圧されたＣＩＳとから形成し、前記ガイドシャフトを原稿の読取面から一定寸法に保持し、かつ前記ガイドシャフトからシャーシーの基準面の寸法を、前記原稿に対してＣＩＳの焦点距離が最適となるように設定し、前記読取手段を前記コンタクトガラスから離間し、非接触状態でホームポジションから読取最終位置に読取走査するとともに、読取最終位置からホームポジションにそれぞれ移動し得るように形成し、かつ前記読取手段のベースの貫通孔内面と、ガイドシャフトとの接触を、断面視で３点接触にする。
【実施例】
【００１５】
以下、本発明の一実施例を図１乃至図４に基づき説明する。図１は、本発明の一実施例による原稿読取装置の概略構成を示す一部断面構成図、図２は、図１に示す原稿読取装置の要部を拡大して示す拡大断面図、図３は、同じく図１に示す原稿読取装置の要部を拡大して示す側面拡大断面図、図４は、ベースの貫通孔内面とガイドシャフトとの装着状態を拡大して模式的に示す模式図である。
【００１６】
１は筐体で、その上面には図示しない原稿を載置するためのコンタクトガラス２１を有する原稿載置台２が形成されている。３は読取手段で、前記筐体１内に配置され、ガイドシャフト４に案内され図示しない駆動源や、搬送機構などからなる駆動手段により、コンタクトガラス２１の下を矢印Ｘで示すように往復移動し、ホームポジションＡから読取最終位置Ｂに移動する際、原稿を読取走査する。
【００１７】
５はフレキシブルフラットケーブルで、前記読取手段３のＬＥＤへの電力供給および読取り信号の伝達や制御に用いられ、読取手段３と前記筐体１内に設けられたコネクター６とを接続する。
【００１８】
本発明にしたがい前記読取手段３は、前記ガイドシャフト４に装着されるベース３１に取付けられた例えば、金属製のシャーシー３２と、このシャーシー３２内に配置され、その上部が例えば、合成樹脂製の位置決めストッパー３３を介してシャーシー３２の基準面Ｓに接し、その下部に設けられた圧縮バネ３４により上方に押し圧されたＣＩＳ３５から形成されている。
【００１９】
そして、前記ガイドシャフト４を原稿の読取面から一定寸法Ｌ１に保持し、かつ前記ガイドシャフト４からシャーシー３２の基準面Ｓの寸法Ｌ２を、前記原稿に対してＣＩＳ３５の焦点距離が最適となるように設定し、前記読取手段３を前記コンタクトガラス２１から離間し、非接触状態でホームポジションＡから読取最終位置Ｂに読取走査するとともに、読取最終位置ＢからホームポジションＡにそれぞれ往復移動し得るように形成する。
【００２０】
前記ＣＩＳ３５は、図示しないが原稿照射用の光源である例えば３色（Ｒ、Ｇ、Ｂ）のＬＥＤ、原稿からの反射光をイメージセンサーの受光素子に結像するロットレンズアレイおよびイメージセンサーなどを枠体内に収納して構成され、その枠体の両端に設けられた支持軸３５１、３５２を、前記シャーシー３２の両端に設けられたＵ字状の支持部３２１および長孔の支持部３５２にそれぞれ挿通している。これにより、この種原稿読取装置を輸送する際などの振動によって、ＣＩＳ３５が所定位置からずれたり、破損したりするのを防止している。
【００２１】
前記ベース３１は、摩擦係数が小さく、滑りやすい例えば、ポリプロピレンなどの合成樹脂から形成されている。このベース３１の貫通孔内面の３箇所の一部を、図４に示すように直線状Ｚに加工し、ガイドシャフト４との接触を、断面視で３点接触となるようにしてもよい。このように３点接触とすると、ベース３１とガイドシャフト４との接触が極めて安定する。この結果、ＣＩＳ３５の読取走査の対物距離の変動を極めて少なくすることができるので、都合がよい。
【００２２】
また、前記読取手段３のベース３１をベース片３１１、３１２に分割した分割構造とし、
ベース片３１１にシャーシー３２を取り付けて前記ガイドシャフト４を跨ぐように設け、その後下側のベース片３１２を図示しないボルトなどの結合部品を用いて固定するように形成すると、前記読取手段３のガイドシャフト４への装着や寸法調整を簡単に行うことができるので、好ましい。
【００２３】
以上の構成による実施例では、ＣＩＳ３５の読取走査の対物距離は、原稿の読取面から一定寸法に保持されたガイドシャフト４に装着された読取手段３のシャーシー３２の基準面Ｓに、ＣＩＳが下方から圧縮バネの押圧力で上方に押し圧されることにより、位置決めストッパー３３を介して規制され、距離変動はほとんど無視することができるとともに、読取手段３のホームポジションＡから読取最終位置Ｂまでの読取走査および読取最終位置ＢからホームポジションＡまでの復帰走査に伴う全ての移動、すなわち往復移動が、コンタクトガラス２１に非接触状態で行われるので、従来のような蜜着移動に伴う異音の発生などの弊害は、皆無となる。しかも、非接触であるので、コンタクトガラス２１の裏面にワックスを塗布する必要がなくなり、製造過程における作業性が改善される他、長期間に亘って安定して使用することができる、などといった効果を奏する。
【００２４】
なお、上述した実施例は、本発明の好適な実施例であるが、本発明はこれに限定されるものではなく、本発明の要旨を逸脱しない範囲において、種々変形実施可能である。
【図面の簡単な説明】
【００２５】
【図１】本発明の一実施例による原稿読取装置の概略構成を示す一部断面構成図である。
【図２】図１に示す原稿読取装置の要部を拡大して示す拡大断面図である。
【図３】同じく図１に示す原稿読取装置の要部を拡大して示す側面拡大断面図である。
【図４】ベースの貫通孔内面とガイドシャフトとの装着状態を拡大して模式的に示す模式図である。
【符号の説明】
【００２６】
１    筐体
２    原稿載置台
２１  コンタクトガラス
３    読取手段
３１  ベース
３２  シャーシー
３３  位置決めストッパー
３４  圧縮バネ
３５  密着型イメージセンサー（ＣＩＳ）
４    ガイドシャフト
Ａ    ホームポジション
Ｂ    読取最終位置
Ｓ    基準面
Ｌ１  原稿の読取面からガイドシャフトまでの寸法
Ｌ２  ガイドシャフトからシャーシーの基準面までの寸法
【図１】
2005086482.tif 000003
【図２】
2005086482.tif 000004
【図３】
2005086482.tif 000005
【図４】
2005086482.tif 000006